(57)【要約】【課題】【解決手段】アップライト型真空掃除機の集塵容器構造及び集塵容器カバー支持構造が開示される。本発明は、吸気口及び排気口を有する円形のカバーと、カバーの下部に装着され、空気の流れを誘導するガイド部材と、ガイド部材の底面に装着されるフィルタと、カバーの底面側に装着され、ガイド部材とフィルタとを内在する筒形状の本体と、を含むことを特徴とする。また、本発明は、本体内部に指示部材が備えられ、前記フィルタを支持し、前記フィルタがカバーを支持することを特徴とする。本発明によれば、上部のカバーに塵埃の流入のための吸気口及び浄化された空気の排出のための排気口が形成されることで、真空掃除機の吸入力を増大することができる。さらに、真空掃除機の駆動により真空度が上昇しても、カバーの変形が発生しないので、集塵容器の密閉性を持続的に維持することができる。【選択図】図４
2009504310.tif 000002
【特許請求の範囲】
【請求項１】
吸気口及び排気口を有する円形のカバーと、
前記カバーの下部に装着され、空気の流れを誘導するガイド部材と、
前記ガイド部材の底面に装着されるフィルタと、
前記カバーの底面側に装着され、前記ガイド部材と前記フィルタとを内在する筒形状の本体と、
を含むことを特徴とするアップライト型真空掃除機の集塵容器構造。
【請求項２】
前記ガイド部材は、
前記カバーの前記吸気口を通して流入する空気が前記本体の内側で螺旋状に回転するように誘導する吸気ガイド部と、
前記フィルタの中央に排出される空気を前記カバーの前記排気口に誘導する排気ガイド部と、
を含むことを特徴とする請求項１に記載のアップライト型真空掃除機の集塵容器構造。
【請求項３】
前記吸気ガイド部は、
流入する空気が回転するように誘導する吸気誘導板と、
前記吸気誘導板の端部に形成され、流入した空気が前記本体に移動するように誘導する傾斜穴を形成する傾斜板と、
を含むことを特徴とする請求項１に記載のアップライト型真空掃除機の集塵容器構造。
【請求項４】
前記排気ガイド部は、
前記フィルタで浄化された空気を排出するための排出孔と、
前記排出孔を通して排出される空気を前記カバーの前記排気口に誘導する排気誘導板と、
を含むことを特徴とする請求項１に記載のアップライト型真空掃除機の集塵容器構造。
【請求項５】
前記ガイド部材と前記カバーとの間に、ガスケットをさらに含むことを特徴とする請求項１に記載のアップライト型真空掃除機の集塵容器構造。
【請求項６】
前記ガスケットは、前記カバーの直径より大きな直径を有することを特徴とする請求項５に記載のアップライト型真空掃除機の集塵容器構造。
【請求項７】
前記カバーの前記吸気口及び前記排気口の底面には、相互に相違する長さを有するリブが各ガイド部に延長形成されることを特徴とする請求項１または請求項２に記載のアップライト型真空掃除機の集塵容器構造。
【請求項８】
吸気口及び排気口を有する円形のカバーと、
前記カバーの下部に装着され、空気の流れを誘導するガイド部材と、
前記ガイド部材の底面に装着されるフィルタと、
前記カバーの底面側に装着され、前記ガイド部材と前記フィルタとを内在する筒形状の本体と、
前記フィルタを支持するように、前記本体の内側面に形成される支持部材と、
を含むことを特徴とするアップライト型真空掃除機の集塵容器カバー支持構造。
【請求項９】
前記支持部材は、
前記フィルタの底面に位置し、前記フィルタを支持する支持板と、
前記支持板から伸びて、前記本体の内側と結合される固定板と、
を含むことを特徴とする請求項８に記載のアップライト型真空掃除機の集塵容器カバー支持構造。
【請求項１０】
前記固定板は、一つ以上が互いに離隔し、前記離隔した空間には空気の移動が可能な開放穴が形成されることを特徴とする請求項９に記載のアップライト型真空掃除機の集塵容器カバー支持構造。
【請求項１１】
前記支持板には、前記フィルタが安着するための固定突起が形成されることを特徴とする請求項９に記載のアップライト型真空掃除機の集塵容器カバー支持構造。
【発明の詳細な説明】
【技術分野】
【０００１】
本発明は、真空掃除機に関し、より詳細には、異物が含まれる空気が流入する吸気口及び浄化された空気が排出される排気口が上端に形成され、吸入力を保存し密閉力を向上させることができ、集塵容器内部の真空度が上昇しても、カバーの下方変形がフィルタにより抑制されることを特徴とするアップライト型真空掃除機の集塵容器構造及びアップライト型真空掃除機の集塵容器カバー支持構造に関する。
【背景技術】
【０００２】
一般に広く供給されている真空掃除機は、その使用状態と形態によって、隙間の掃除及び移動が便利で、ブラシやノズルの交替が容易なキャニスタ型（ｃａｎｉｓｔｅｒ  ｔｙｐｅ）と、広い空間の掃除が容易で、保管が便利なアップライト型（ｕｐｒｉｇｈｔ  ｔｙｐｅ）とに区分できる。
【０００３】
図１は、従来のアップライト型真空掃除機の斜視図である。図１に示すように、アップライト型真空掃除機は、底面から異物を含む空気を吸入する吸気ヘッド２と、吸気ヘッド２の上側に設けられ、空気を吸入する吸入手段を内蔵する本体４と、本体４の上部に設けられ、使用者が把持するハンドル６と、を含む。
【０００４】
前記吸気ヘッド２は、掃除をしようとする床面に近寄った状態で移動しながら、その底面に形成されている吸気口を通して、真空掃除機の動作により異物を含む空気を吸入する部分である。
【０００５】
前記本体４には、吸気ヘッド２を通して空気を吸入する吸入手段が内蔵されている。従って、本体４に内蔵された吸入手段の動作により、前記吸気ヘッド２の底面を通して空気が吸入される。
【０００６】
そして、前記本体４の下部は、吸気ヘッド２の後方に対してヒンジ連結されており、実質的に前記本体４が吸気ヘッド２に対して後方に一定角度傾くことができるように構成されている。前記本体４の上部には、真空掃除機の使用の際、使用者が把持して掃除機全体を操作できるハンドル６が形成されている。例えば、使用者がハンドル６を把持した状態で、吸気ヘッド２に対する本体４の傾斜角度を調節しながら、所望の部分を掃除する。
【０００７】
前記本体４の前面中心部分には、集塵容器８が着脱可能に設けられる。集塵容器８は、吸気ヘッド２を通して吸入される空気中に含まれる異物をフィルタリングして、その内部に捕集できる。
【０００８】
図示の従来の構成例は、前記集塵容器８がサイクロン方式により吸入される空気中に含まれる異物を捕集する例を示している。
【０００９】
上記のような構成を有する従来のアップライト型真空掃除機の空気の流れによれば、本体４に内蔵されている吸入手段の動作により、吸気ヘッド２の底面に形成される吸入口を通して異物を含む空気が吸入される。
【００１０】
吸入された空気は、前記本体４を経由して集塵容器８の内部に流入する。集塵容器８の内部に流入した空気は、その内部で異物がフィルタリングされた後、再び本体４の内部を経由して排気口を通して外部に排気される。
【００１１】
一方、図２は、図１の集塵容器を示す斜視図である。図２に示すように、集塵容器８の上部には、吸気口２１が形成され、下部には排気口２２が形成される。
【００１２】
しかしながら、集塵容器の上部に吸気口が形成され、下部に排気口が形成されると、真空掃除機の駆動の際、真空力の上昇により吸気口側の遮蔽力が高くなる。それにより真空掃除機の吸入力が低下するという問題点がある。
【００１３】
図３は、従来アップライト型真空掃除機の集塵容器を示す断面図である。図３に示すように、アップライト型真空掃除機の集塵容器は、底面から異物を含む空気を吸入して、異物を貯蔵し、フィルタにより浄化された空気は、外部に排出する。
【００１４】
かかる機能を行なうために、集塵容器１０は、本体１１の上端を覆うカバー１２に吸気口及び排気口が形成され、カバー１２の底面には、吸入口を通して流入する空気を本体１１内部に案内し、本体１１で浄化された空気を排気口に案内するガイド部材１３が形成される。
【００１５】
そして、ガイド部材１３の底面には、汚染された空気を浄化するためのフィルタ１４が付着される。
【００１６】
従って、汚染された空気がカバーの吸気口を経てガイド部材を通して本体内側で螺旋状に回転移動しながら、荷重が有る異物は本体の底に落ち、フィルタにより浄化された空気は、ガイド部材を通してカバーの排気口に排出される。
【００１７】
しかし、真空掃除機の駆動により真空度が高くなるほど、カバーの吸気口部分が圧着され、カバーのエッジ部分が広がり、カバーの中央部分には下方に向かって変形が発生して、集塵容器のシーリング（ｓｅａｌｉｎｇ）が劣化するという問題点がある。従って、上記のような問題点を改善する必要性が要求される。
【発明の開示】
【発明が解決しようとする課題】
【００１８】
本発明は、上述の問題点に鑑みてなされたもので、その目的は、塵埃をフィルタリングする集塵容器の上部に、汚染された空気を吸入する吸気口及び浄化された空気を排出する排気口が形成され、真空掃除機の吸入力低下を防止できる真空掃除機を提供することにある。
【課題を解決するための手段】
【００１９】
上記の目的を達成すべく、本発明によるアップライト型真空掃除機の集塵容器構造は、吸気口及び排気口を有する円形のカバーと、前記カバーの下部に装着され、空気の流れを誘導するガイド部材と、前記ガイド部材の底面に装着されるフィルタと、前記カバーの底面側に装着され、前記ガイド部材と前記フィルタとを内在する筒形状の本体と、を含むことを特徴とする。
【００２０】
また、前記ガイド部材は、前記カバーの前記吸気口を通して流入する空気が前記本体の内側で螺旋状に回転するように誘導する吸気ガイド部と、前記フィルタの中央に排出される空気を前記カバーの前記排気口に誘導する排気ガイド部と、を含むことが好ましい。
【００２１】
また、前記吸気ガイド部は、流入する空気が回転するように誘導する吸気誘導板と、前記吸気誘導板の端部に形成され、流入した空気が前記本体に移動するように誘導する傾斜穴を形成する傾斜板と、を含むことが好ましい。
【００２２】
また、前記排気ガイド部は、前記フィルタで浄化された空気を排出するための排出孔と、前記排出孔を通して排出される空気を前記カバーの前記排気口に誘導する排気誘導板と、を含むことが好ましい。
【００２３】
また、前記ガイド部材と前記カバーとの間に、ガスケットをさらに含むことが好ましい。ここで、前記ガスケットは、前記カバーの直径より大きい直径を有することが好ましい。
【００２４】
また、前記カバーの前記吸気口及び前記排気口の底面には、相互に相違する長さを有するリブが各ガイド部に延長形成されることが好ましい。
【００２５】
本発明によるアップライト型真空掃除機の集塵容器カバー支持構造は、吸気口及び排気口を有する円形のカバーと、前記カバーの下部に装着され、空気の流れを誘導するガイド部材と、前記ガイド部材の底面に装着されるフィルタと、前記カバーの底面側に装着され、前記ガイド部材と前記フィルタとを内在する筒形状の本体と、前記フィルタを支持するように、前記本体の内側面に形成される支持部材と、を含むことを特徴とする。
【００２６】
また、前記支持部材は、前記フィルタの底面に位置し、前記フィルタを支持する支持板と、前記支持板から伸びて、前記本体の内側と結合される固定板と、を含むことが好ましい。
【００２７】
また、前記固定板は、一つ以上が互いに離隔し、前記離隔した空間には空気の移動が可能な開放穴が形成されることが好ましい。
【００２８】
また、前記支持板には、前記フィルタが安着するための固定突起が形成されることが好ましい。
【発明の効果】
【００２９】
本発明による真空掃除機の集塵容器構造は、集塵容器の最上端部分に形成されるカバーに吸気口及び排気口が形成されることで、真空掃除機の作動により真空力が上昇しても、吸入力が低下しないという効果が得られる。
【００３０】
また、前記カバーの下部に装着されるガイド部材は、一つの部品でありながら、吸気や排気に対する案内のための形状を有するので、原価節減及び組立性向上の効果が得られる。
【００３１】
また、一つのガスケットがカバーとガイド部材とを、及びカバーと本体とをシーリング（ｓｅａｌｉｎｇ）することで、集塵容器の効果的な密閉が可能であるという長所がある。
【００３２】
また、カバーの吸気口及び排気口の底面に形成されたリブは、流入及び排出される空気のシーリング作業をしながら、空気通路の役割を行なうという効果が得られる。
【００３３】
また、本発明によるアップライト型真空掃除機の集塵容器カバー支持構造は、支持部材がカバーの下方に結合されたフィルタの底面を支持することで、真空掃除機の駆動により吸気口及び排気口が形成されたカバー自体の下方変形が発生しても、フィルタがそのような変形を防止する効果が得られる。
【００３４】
さらに、前記支持部材は、フィルタの底面を支持する支持板から延長形成された一つ以上の固定板が互いに離隔し、本体の内側と結合されて、開放穴が形成されることで、フィルタを支持しながら集塵容器の本体内部空気の流動を円滑にするという長所がある。
【発明を実施するための最良の形態】
【００３５】
以下、本発明の好ましい実施の形態を、添付の図面を参照して詳細に説明する。図４は、本発明によるアップライト型真空掃除機の集塵容器を示す分解斜視図であり、図５は、本発明によるアップライト型真空掃除機の集塵容器を示す結合斜視図であり、図６は、図５のＡ−Ａ断面図であり、図７は、図５のＢ−Ｂ断面図におけるカバー部分を示す断面図であり、図８は、本発明によるカバーの底面斜視図である。
【００３６】
図示のように、本発明によるアップライト型真空掃除機の集塵容器は、全体的に円筒形状を有し、その最上部には、カバー２０が形成される。
【００３７】
前記カバー２０は、円状からなる。前記カバー２０には、掃除機本体（図示せず）に形成された吸入管及び排気管との結合のための吸気口２１及び排気口２２が形成される。
【００３８】
前記カバー２０の下部には、ガイド部材３０が装着される。前記ガイド部材３０は、空気の移動経路を案内し、カバー２０より小さい直径を有する円板状からなり、吸気口２１及び排気口２２と連通する。
【００３９】
前記ガイド部材３０の底面には、塵埃を浄化するためのフィルタ４０が付着される。円筒状の本体５０が前記カバー２０の底面のエッジ部分に付着される。
【００４０】
ここで、前記本体５０の内部上側には、ガイド部材３０及びフィルタ４０が位置する。吸気口２１を通して流入した空気から、異物は本体５０の下側に沈み、フィルタ４０により浄化された空気は排気口２２を通して流出する。
【００４１】
前記ガイド部材３０は、吸気ガイド部３１及び排気ガイド部３２からなる。前記吸気ガイド部３１は、カバー２０の吸気口２１を通して流入する空気を本体５０の内側で螺旋状回転するように案内する。前記排気ガイド部３２は、前記フィルタ４０の中央に排出される浄化された空気をカバー２０の排気口２２に案内する。
【００４２】
かかるガイド部として、例えば、前記吸気ガイド部３１は、流入する空気がガイド部材３０のエッジ部に沿って移動しながら回転するように案内する吸気ガイド板３１ａと、前記吸気ガイド板３１ａの端部で傾斜穴を形成するための傾斜板３１ｂとを供える。
【００４３】
前記傾斜板３１ｂにより形成される傾斜穴は、吸気ガイド板３１ａを通して流入した空気を自然に本体５０に案内する。
【００４４】
前記排気ガイド部３２は、フィルタ４０で浄化された空気を排出するための排出孔３２ｂ及び前記排出孔３２ｂを通して排出される空気をカバー２０の排気口２２に案内する排気ガイド板３２ａからなる。
【００４５】
一方、前記ガイド部材３０とカバー２０との間には、空気の漏出を防止するためのガスケット６０が追加で備えられることが好ましい。
【００４６】
ここで、前記ガスケット６０は、カバー２０とガイド部材３０との密閉力を向上させるだけでなく、カバー２０と本体５０との結合による密閉力向上のために、カバー２０の直径より長い直径で設計する。
【００４７】
また、前記カバー２０の吸気口２１と排気口２２の底面には、リブ２０ａが突出形成される。
【００４８】
即ち、前記リブ２０ａは、吸気口２１から伸び、流入する空気をガイド部材３０の吸気ガイド部３１に案内し、同じく排気口２２から伸び、排出される空気を排気ガイド部３２から排気口２２に案内する。
【００４９】
ここで、前記リブ２０ａは円筒形状を有し、異なる長さを有する。すなわち、前記吸気ガイド部３１の吸気ガイド板３１ａに接する部分は、吸気ガイド板３１ａに接しない部分に比べて長く形成され、前記排気ガイド部３２の排気ガイド板３２ａに接する部分は、排気ガイド板３２ａに接しない部分に比べて長く形成される。
【００５０】
以下、上記のような構造を有する本発明の作用及び効果を説明する。掃除機本体の吸入管は、集塵容器の上端に形成されたカバー２０の吸気口２１と結合され、掃除機本体の排気管は、カバー２０の排気口２２と結合される。
【００５１】
上記の状態で真空掃除機が作動すると、アップライト型真空掃除機のヘッド（図示せず）から吸入される塵埃や異物が含まれた空気は、カバー２０の吸気口２１を経て、ガイド部材３０の吸気ガイド部３１により本体５０に流入する。
【００５２】
即ち、前記空気は、吸気口２１を経て吸気ガイド部３１の吸気ガイド板３１ａを通してガイド部材３０内で回転し、傾斜板３１ｂにより形成された傾斜穴を通して自然に下方に移動して本体５０に流入する。流入した空気は、本体５０の内側で螺旋状に回転移動する。
【００５３】
上記の螺旋状回転移動により、流入した空気に遠心力が作用し、本体５０の内側で回転する。
【００５４】
かかる遠心力により、流入した空気はフィルタ４０に直ぐ流入せず、本体５０の内部で回転しながら、荷重が有る異物が落下するよう誘導される。
【００５５】
従って、前記本体５０に流入した空気の中で荷重が有る異物は本体５０の下端に集まり、汚染された空気は上方に移動しながら、フィルタ４０により浄化され、ガイド部材３０の排気ガイド部３２を通して外部に排出される。
【００５６】
即ち、汚染された空気は、フィルタ４０により浄化された状態で前記フィルタ４０の中央に空いている空間と連通する排気ガイド部３２の排出孔３２ｂを経て、排気ガイド板３２ａを通してカバー２０の排気口２２に移動した後、真空掃除機本体に形成された排気管を通して外部に排出される。
【００５７】
一方、前記カバー２０とガイド部材３０との間にガスケット６０が備えられ、空気の漏出を防止するだけでなく、カバー２０の底面に形成されたリブ２０ａは異なる長さを有し、空気の流動通路を形成しながら、吸気ガイド板３１ａ及び排気ガイド板３２ａに密着して、シーリングする。
【００５８】
従って、本発明は、吸気口と排気口とが集塵容器の上端に位置するカバー２０に形成されることで、従来の吸気口が上方に位置し、排気口が下方に位置することによる吸入力低下を防止することができる。
【００５９】
図９は、本発明による支持部材が備えられたアップライト型真空掃除機の集塵容器を示す断面図であり、図１０は、本発明による集塵容器の本体を示す斜視図である。
【００６０】
図示のように、本発明は、アップライト型真空掃除機において、床の異物を吸入して浄化した後、荷重が有る異物は貯蔵し、汚染された空気を浄化してから、外部に排出するための集塵容器に関する。
【００６１】
即ち、本発明による集塵容器１１０を簡略に説明すると、円形のカバー１１２には、吸気口及び排気口が形成され、前記カバー１１２の下部には、空気の移動経路を案内するためのガイド部材１１３が形成される。
【００６２】
前記ガイド部材１１３の底面には、汚染された空気を浄化するためのフィルタ１１４が付着され、前記ガイド部材１１３とフィルタ１１４が内在されるように、カバー１１２の底面エッジ部分には、円筒形状の本体１１１が付着される。
【００６３】
一方、前記本体１１１の内側面には、前記フィルタ１１４の底面と接し、支持するための支持部材２０１が形成される。
【００６４】
前記支持部材２０１は、前記フィルタ１１４の底面に位置し、フィルタ１１４を支持する支持板２１１と、前記支持板２１１から伸び、本体１１１の内側と結合される固定板２２１とからなる。
【００６５】
前記本体１１１の内部では、空気の自由な流動により異物は底面に沈み、汚染された空気は浄化された後、外部に排出される必要がある。
【００６６】
そのために、前記固定板２２１は、一つ以上が互いに離隔し、一端が本体１１１の内側に結合され、他端が支持板２１１と結合され、前記離隔した空間には、空気が流動可能な開放穴２３１が形成される。
【００６７】
その他に、前記固定板２２１が一体に本体と結合され、一体に形成される固定板２２１の面上に多数の穴が形成され、空気の流動を可能にすることもできる。
【００６８】
一方、前記フィルタ１１４は円筒形状からなり、その内部は空いている空間になる。前記支持板２１１には、フィルタ１１４の内側が安着するための固定突起２４１が形成される。
【００６９】
以下、上記のような構造を有する本発明の作用及び効果を説明する。吸気口及び排気口が形成されるカバー１１２、前記カバー１１２の底面に装着され、空気の流動を案内するガイド部材１１３及び前記ガイド部材１１３の底面に付着され、空気を浄化するフィルタ１１４がセットとして、本体１１１の上方に開放された部分を覆う。
【００７０】
それにより、本体１１１の上端にカバー１１２が接して結合され、ガイド部材１１３とフィルタ１１４とは、本体１１１内部に位置する。前記フィルタ１１４の底面には、本体１１１と一体に形成される支持部材２０１が位置し、フィルタ１１４を支持する。
【００７１】
前記支持部材２０１により支持されたフィルタ１１４は、ガイド部材１１３及びカバー１１２を支持できるようになる。
【００７２】
従って、真空掃除機の駆動により集塵容器１１０内部の真空度が上昇して、吸気口及び排気口が形成されたカバー１１２の中央部分で下方に変形が発生しても、支持部材２０１により底面が支持されたフィルタ１１４がカバー１１２の下方変形を防止する。
【００７３】
一方、前記支持部材２０１の固定板２２１は、多数が互いに離隔して、本体１１１の内側と結合するので、支持部材２０１がフィルタ１１４を支持しても、本体１１１内部の空気流動を妨害しなくなる。
【００７４】
上述した本発明の実施の形態は、例示の目的のために開示されたものであり、本発明の属する技術の分野における通常の知識を有する者であれば、本発明の技術的思想を逸脱しない範囲内で、様々な置換、変形、及び変更が可能であり、このような置換、変更などは、特許請求の範囲に属するものである。
【図面の簡単な説明】
【００７５】
【図１】従来のアップライト型真空掃除機の斜視図である。
【図２】図１の集塵容器を示す斜視図である。
【図３】従来アップライト型真空掃除機の集塵容器を示す断面図である。
【図４】本発明によるアップライト型真空掃除機の集塵容器を示す分解斜視図である。
【図５】本発明によるアップライト型真空掃除機の集塵容器を示す結合斜視図である。
【図６】図５のＡ−Ａ断面図である。
【図７】図５のＢ−Ｂ断面図におけるカバー部分を示す断面図である。
【図８】本発明によるカバーの底面斜視図である。
【図９】本発明による支持部材が備えられたアップライト型真空掃除機の集塵容器を示す断面図である。
【図１０】本発明による集塵容器の本体を示す斜視図である。
【図１】
2009504310.tif 000003
【図２】
2009504310.tif 000004
【図３】
2009504310.tif 000005
【図４】
2009504310.tif 000006
【図５】
2009504310.tif 000007
【図６】
2009504310.tif 000008
【図７】
2009504310.tif 000009
【図８】
2009504310.tif 000010
【図９】
2009504310.tif 000011
【図１０】
2009504310.tif 000012
【国際調査報告】
2009504310.tif 000013
2009504310.tif 000014